(57)【要約】【課題】複数種類の医療用部材の保持を可能にしつつ、保持部が設けられている部分も必要に応じて収容空間として利用でき、収容空間を拡げることが可能な収容容器を提供する。【解決手段】図中左上に位置する収容室１８では、保持部２３３によって、長い診療用器具８０の保持が行われている。この収容室１８では、収容空間２３３Ｃの奥まで診療用器具８０が挿入されている。図中中央の収容室１８では、符号３Ａで示す方向における長さが、上記長い診療用器具８０よりも小さい診療用器具８０の保持が行われている。この収容室１８では、スリット間部位が収容空間２３３Ｃ内に押し込まれ、突出部２３３Ｄが形成されている。一方で、図中右下に位置する収容室１８には、収容空間２３３Ｃが存在しない状態となり、収容室１８の容量が大きくなっている。【選択図】図３
2014226225.tif 000002
【特許請求の範囲】
【請求項１】
内壁を備え、医療用部材が収容される収容室と、
前記収容室内に設けられ、当該収容室内に収容された前記医療用部材を保持する保持部と、
を有し、
前記保持部は、
前記内壁から前記収容室の内部側へ向かうように変形可能に構成され、当該変形により、前記医療用部材が挿入される挿入部が形成されるとともに、当該変形がなされる前の状態に戻すことが可能な変形部と、
前記変形部の一部により構成され、前記挿入部に挿入される前記医療用部材の移動経路上への進出および当該移動経路上からの退避が可能な進退部と、
を備えていることを特徴とする収容容器。
【請求項２】
前記変形部は、前記内壁の一部によって構成され、
前記変形部を前記変形がなされる前の状態に戻すと、当該変形部が前記内壁の一部を構成するようになる請求項１に記載の収容容器。
【請求項３】
前記変形部の前記変形によって筒状体が形成され、当該筒状体の軸方向における一端部および他端部のうちの当該一端部側から、当該筒状体の内部に前記医療用部材が挿入されることで、前記保持部による当該医療用部材の保持が行われ、
前記進退部は、前記変形部の前記変形により形成される前記筒状体の前記他端部側に位置するように当該変形部に設けられていることを特徴とする請求項１に記載の収容容器。
【請求項４】
前記収容室が内部に形成された容器本体と、開閉可能に設けられ当該容器本体に形成された開口を塞ぐ塞ぎ部と、前記保持部が形成され当該容器本体内に収容された収容体と、を更に備え、
前記塞ぎ部には、当該塞ぎ部が閉じられる際に、前記容器本体の内壁と前記収容体との間に挿入される挿入片が形成され、
前記挿入片の前記挿入が行われる際、前記容器本体の前記内壁と前記収容体との間のうちの予め定められた挿入箇所から当該挿入が開始されるとともに、当該挿入片の挿入が済んだ挿入箇所が当該予め定められた挿入箇所以外の他の箇所へ次第に拡がるように当該挿入が行われ、
前記収容体のうちの前記予め定められた挿入箇所に存する部位を前記容器本体の前記内壁から離れる方向へ付勢する付勢手段を更に備えることを特徴とする請求項１に記載の収容容器。
【請求項５】
前記収容室が内部に形成された容器本体と、当該容器本体に形成された開口を塞ぐ塞ぎ部と、前記保持部が形成され当該容器本体内に収容された収容体と、を更に備え、
前記塞ぎ部には、前記容器本体に対する当該塞ぎ部の固定に用いられる固定用片が設けられ、
前記容器本体には、当該容器本体の内部と外部との間に位置する壁部を貫通した状態で形成され前記塞ぎ部に設けられた前記固定用片が当該外部側から挿入される貫通部が形成され、
前記貫通部に挿入され一部が前記容器本体内に入り込んだ前記固定用片は、前記収容体が設けられている箇所まで達し、
前記収容体のうち前記固定用片が達する箇所には、当該固定用片を収容する凹部が形成されていることを特徴とする請求項１に記載の収容容器。
【発明の詳細な説明】
【技術分野】
【０００１】
本発明は、収容容器に関する。
【背景技術】
【０００２】
特許文献１には、吸引器本体と、吸引器本体に設けられた排出路と、生分解性樹脂から構成され排出路の先端部に着脱自在に設けられる排出用の機器用ノズルとからなる歯科用吸引機器が開示されている。
【先行技術文献】
【特許文献】
【０００３】
【特許文献１】特開平９−２０１３７５号公報
【発明の概要】
【発明が解決しようとする課題】
【０００４】
医療用部材は、キズや故障などの発生を防ぐため、一般的には、収容容器に収容された状態で輸送され、また、収容状態を維持するため、例えば収容容器内に保持部を設けてこの医療用部材を保持することが望ましい。
ところで、医療用部材には様々な形状や種類が存在する。収容容器が単一種類の医療用部材のみしか保持できない場合には、医療用部材毎に収容容器を用意する必要が生じ、製造コストの増加などを招く。また、収容容器に保持部を設けると、この保持部を設けた分、収容空間が小さくなる。
本発明の目的は、複数種類の医療用部材の保持を可能にしつつ、保持部が設けられている部分も必要に応じて収容空間として利用でき、収容空間を拡げることが可能な収容容器を提供することにある。
【課題を解決するための手段】
【０００５】
かかる目的のもと、本発明が適用される収容容器は、内壁を備え、医療用部材が収容される収容室と、前記収容室内に設けられ、当該収容室内に収容された前記医療用部材を保持する保持部と、を有し、前記保持部は、前記内壁から前記収容室の内部側へ向かうように変形可能に構成され、当該変形により、前記医療用部材が挿入される挿入部が形成されるとともに、当該変形がなされる前の状態に戻すことが可能な変形部と、前記変形部の一部により構成され、前記挿入部に挿入される前記医療用部材の移動経路上への進出および当該移動経路上からの退避が可能な進退部と、を備えていることを特徴とする収容容器である。
ここで、前記変形部は、前記内壁の一部によって構成され、前記変形部を前記変形がなされる前の状態に戻すと、当該変形部が前記内壁の一部を構成するようになることを特徴とすることができる。この場合、内壁とは別の部材で変形部が構成されている場合に比べ、変形がなされる前の状態に変形部を戻した際の収容室の収容空間を拡げることができる。
また、前記変形部の前記変形によって筒状体が形成され、当該筒状体の軸方向における一端部および他端部のうちの当該一端部側から、当該筒状体の内部に前記医療用部材が挿入されることで、前記保持部による当該医療用部材の保持が行われ、前記進退部は、前記変形部の前記変形により形成される前記筒状体の前記他端部側に位置するように当該変形部に設けられていることを特徴とすることができる。この場合、筒状体に挿入される医療用部材の挿入深さが大きくなり、保持部による医療用部材の保持がより安定してなされるようになる。
また、前記収容室が内部に形成された容器本体と、開閉可能に設けられ当該容器本体に形成された開口を塞ぐ塞ぎ部と、前記保持部が形成され当該容器本体内に収容された収容体と、を更に備え、前記塞ぎ部には、当該塞ぎ部が閉じられる際に、前記容器本体の内壁と前記収容体との間に挿入される挿入片が形成され、前記挿入片の前記挿入が行われる際、前記容器本体の前記内壁と前記収容体との間のうちの予め定められた挿入箇所から当該挿入が開始されるとともに、当該挿入片の挿入が済んだ挿入箇所が当該予め定められた挿入箇所以外の他の箇所へ次第に拡がるように当該挿入が行われ、前記収容体のうちの前記予め定められた挿入箇所に存する部位を前記容器本体の前記内壁から離れる方向へ付勢する付勢手段を更に備えることを特徴とすることができる。この場合、塞ぎ部の閉操作を行いやすくなる。
また、前記収容室が内部に形成された容器本体と、当該容器本体に形成された開口を塞ぐ塞ぎ部と、前記保持部が形成され当該容器本体内に収容された収容体と、を更に備え、前記塞ぎ部には、前記容器本体に対する当該塞ぎ部の固定に用いられる固定用片が設けられ、前記容器本体には、当該容器本体の内部と外部との間に位置する壁部を貫通した状態で形成され前記塞ぎ部に設けられた前記固定用片が当該外部側から挿入される貫通部が形成され、前記貫通部に挿入され一部が前記容器本体内に入り込んだ前記固定用片は、前記収容体が設けられている箇所まで達し、前記収容体のうち前記固定用片が達する箇所には、当該固定用片を収容する凹部が形成されていることを特徴とすることができる。この場合、貫通部に挿入された固定用片と収容体との干渉を避けられるようになる。
【発明の効果】
【０００６】
本発明によれば、複数種類の医療用部材の保持を可能にしつつ、保持部が設けられている部分も必要に応じて収容空間として利用でき、収容空間を拡げることが可能な収容容器を提供することができる。
【図面の簡単な説明】
【０００７】
【図１】本実施形態の収容箱を示した図である。
【図２】蓋部材を開いた状態における収容箱を示した図である。
【図３】保持体を収容箱から取り出した状態を示した図である。
【図４】保持体に設けられた保持部を拡大して示した図である。
【図５】歯科診療時に用いるサクションシリンジを示した図である。
【図６】箱本体部の底部と前側壁とが交わる個所を拡大して示した図である。
【図７】図３の矢印ＶＩＩ方向から保持体を眺めた場合の斜視図である。
【図８】第１接続片と第２接続片との接続を解いた状態の保持体を示した図である。
【図９】保持体の展開図である。
【図１０】図３の矢印Ｘ方向から保持体を眺めた場合の図である。
【図１１】図１０における矢印ＸＩ方向から保持体を眺めた場合の図である。
【発明を実施するための形態】
【０００８】
以下、添付図面を参照して、本発明の実施形態について説明する。
図１は、本実施形態の収容箱２００を示した図である。
本実施形態における収容箱（収容容器）２００は、直方体状に形成されている。また、収容箱２００は、容器本体として機能する箱本体部２１０と、開閉可能に設けられ箱本体部２１０の上部に形成された開口を塞ぐ塞ぎ部として機能する蓋部材２２０とから構成されている。なお、収容箱２００は、一枚の紙材が折り畳まれることにより形成されており、箱本体部２１０と蓋部材２２０とは一体で形成されている。
また、本実施形態では、蓋部材２２０に、内部の状態を視認できるようにする窓部２２１が設けられている。さらに、この窓部２２１を塞ぐ透明のフィルム２２２が設けられている。
【０００９】
図２は、蓋部材２２０を開いた状態における収容箱２００を示した図である。
同図に示すように、収容箱２００の内部には、歯科の診療に用いられる診療用器具（医療用器具）８０が収められる。また、本実施形態では、収容体の一例としての保持体２３０が設けられている。この保持体２３０は、収容箱２００内に収められ、同じく収容箱２００内に収められた診療用器具８０の保持を行う。なお、保持体２３０は、収容箱２００と同様、一枚の紙材が折り畳まれることにより形成されている。
【００１０】
図２に示すように、蓋部材２２０は、長方形状の基材２２３を備えている。また、蓋部材２２０には、蓋部材２２０の短手方向に沿って延びる第１側辺２２３Ａおよび第２側辺２２３Ｂが設けられている。さらに、第１側辺２２３Ａおよび第２側辺２２３Ｂの各々から突出する第１突出片２２４が設けられている。また、蓋部材２２０の長手方向に沿って延びる第３側辺２２３Ｃが設けられ、さらに、第３側辺２２３Ｃから突出する第２突出片２２５が設けられている。
【００１１】
ここで、挿入片として機能する、蓋部材２２０の第１突出片２２４は、蓋部材２２０が閉じられる際、保持体２３０と箱本体部２１０の内壁との間に位置する隙間Ｇに挿入される。また、第２突出片２２５は、蓋部材２２０が閉じられることで、箱本体部２１０の前側壁２１１に対向配置される。
【００１２】
第２突出片２２５には、その長手方向における中央部から突出した中央部突出片２２５Ａ、長手方向における両端部から突出した端部突出片２２５Ｂが設けられている。一方で、箱本体部２１０には、箱本体部２１０の底部と前側壁２１１とが交わる箇所に、中央部突出片２２５Ａが挿入される中央スリットＳＬＣが形成されている。さらに、箱本体部２１０には、箱本体部２１０の角部に、端部突出片２２５Ｂが挿入される端部スリットＳＬＥが形成されている。
【００１３】
保持体２３０には、診療用器具８０を下方から支持する底板２３１が設けられている。さらに、本実施形態では、底板２３１から上方に向かって突出するように設けられ、底板２３１の上方に位置する空間を仕切り、診療用器具８０が収容される収容室１８を複数形成する仕切り壁２３２が設けられている。さらに、仕切り壁２３２の各々に設けられ、診療用器具８０を保持する保持部２３３が設けられている。
【００１４】
図３は、保持体２３０を収容箱２００から取り出した状態を示した図である。また、図４は、保持体２３０に設けられた保持部２３３を拡大して示した図である。
図４をまず参照し、保持部２３３の構造を説明する。保持部２３３には、同図に示すように、底板２３１から上方に向かって起立する起立壁２３３Ａと、水平方向に沿って配置され起立壁２３３Ａの上部と仕切り壁２３２とを接続する接続部２３３Ｂとが設けられている。本実施形態では、起立壁２３３Ａ、接続部２３３Ｂ、および、仕切り壁２３２により囲まれる空間（以下、「収容空間２３３Ｃ」と称する）に対して診療用器具８０（図４では不図示）が挿入されることで、診療用器具８０の保持が行われる。
【００１５】
付言すると、本実施形態では、収容室１８の内壁の一部が変形するようになっており、この一部の変形によって、起立壁２３３Ａおよび接続部２３３Ｂが形成される。付言すると、収容室１８の内壁の一部（変形部の一例）が、収容室１８の内壁から収容室１８の内部側へ向かうように変形することで、起立壁２３３Ａおよび接続部２３３Ｂが形成される。
【００１６】
起立壁２３３Ａおよび接続部２３３Ｂが形成されると、起立壁２３３Ａ、接続部２３３Ｂ、および、仕切り壁２３２により囲まれる空間に、医療用部材の一例としての診療用器具８０の挿入が行われる挿入部が形成される。なお、収容室１８の内壁の上記一部は、このように収容室１８の内部側へ向かうように変形可能に構成されるとともに、元の状態に戻すことができるようになっている。そして、元の状態に戻した場合には、この一部は、再び、収容室１８の内壁の一部を構成するようになる。
【００１７】
なお、本実施形態では、内壁の一部を変形させることで上記挿入部が形成される態様を一例に説明したが、例えば、押し潰した状態の筒状部材を収容室１８の内壁に接着等で固定するようにしてもよい。この場合、収容室１８の内部側にこの筒状部材が膨らむように筒状部材を変形させれば、上記挿入部が形成されるようになり、この膨らんだ状態から内壁に向けてこの筒状部材を押し潰せば、元の状態に戻るようになる。
【００１８】
ここで、本実施形態の構成では、必要に応じて保持部２３３を出現させることができるようになり、また、必要に応じて、保持部２３３を無くすことができるようになる。これにより、本実施形態では、診療用器具８０の保持が可能になるとともに、診療用器具８０の保持が行われず他の部材（例えば、後述する覆い部材（サクションチップ））の収容が行われる際には、収容室１８の容積を増やせるようになる。
【００１９】
ここで、起立壁２３３Ａは、図４に示すように、底板２３１の一部が上方に向かって折り曲げられることが形成されている。また、接続部２３３Ｂは、仕切り壁２３２の一部を水平状態とすることで形成されている。付言すると、本実施形態の仕切り壁２３２は、基材となる紙材が二層になった状態で形成されており、本実施形態では、一方の層に位置する紙材を水平状態にすることで、接続部２３３Ｂを形成している。
【００２０】
さらに、本実施形態では、起立壁２３３Ａおよび接続部２３３Ｂの両者の跨るように形成され且つ互いに平行に形成された二つのスリットＳＬＥが形成されており、この二つのスリットＳＬＥ間に位置する部位（以下、「スリット間部位」と称する）を、収容空間２３３Ｃ内に押し込んでいる。これにより、本実施形態では、図４に示すように、収容空間２３３Ｃ内に向かって突出する突出部２３３Ｄが形成される。ここで、スリット間部位は、元の状態に戻すことができるようになっており、元の状態に戻すと、スリット間部位は、起立壁２３３Ａの一部および接続部２３３Ｂの一部を再び構成するようになる。
【００２１】
さらに説明すると、本実施形態のスリット間部位は、進退部として捉えることができ、収容空間２３３Ｃに対して診療用器具８０が挿入される際の診療用器具８０の移動経路上への進出、および、この移動経路上からの退避が可能になっている。そして、移動経路上へ進出しているときには、挿入されてきた診療用器具８０の端部に突き当たり、診療用器具８０の移動を規制する。その一方で、移動経路上から退避しているときには、診療用器具８０を通過させる。
【００２２】
なお、本実施形態では、起立壁２３３Ａの起立等が行われると、図４に示すように、起立壁２３３Ａ、接続部２３３Ｂ、仕切り壁２３２（の一方の層）を壁部とする筒状体が形成される。そして、本実施形態では、この筒状体の一端側から診療用器具８０の挿入が行われる。付言すると、筒状体は、符号４Ａで示す箇所に一端を有し符号４Ｂで示す箇所に他端を有しているが、診療用器具８０の挿入は、符号４Ａで示す一端側から開始される。
【００２３】
一方で、上記スリット間部位については、筒状体の他端側に設けられている。これにより、本実施形態では、筒状体の一端側にスリット間部位が設けられる場合に比べ、診療用器具８０がより安定的に保持されるようになる。具体的に説明すると、スリット間部位が筒状体の他端側に設けられると、一端側にスリット間部位が設けられている場合に比べ、診療用器具８０の挿入深さが大きくなる。これにより、診療用器具８０がより安定的に保持されるようになる。
【００２４】
図３を参照し、保持体２３０についてさらに説明する。
保持体２３０は、長さの異なる複数の診療用器具８０を保持できるようになっている。
具体的に説明すると、図中左上に位置する保持部２３３では、長い診療用器具８０の保持を行っている。この保持部２３３では、上記突出部２３３Ｄが形成されておらず、収容空間２３３Ｃの奥まで、診療用器具８０が挿入されている。
また、図中中央の保持部２３３では、短い診療用器具８０の保持が行われている。付言すると、保持体２３０の短手方向（符号３Ａで示す方向）における長さが、上記長い診療用器具８０よりも小さい診療用器具８０の保持が行われている。この保持部２３３では、スリット間部位が収容空間２３３Ｃ内に押し込まれ、突出部２３３Ｄが形成されている。そして、この保持部２３３では、突出部２３３Ｄよりも図中右方に診療用器具８０が配置され、図中左方への診療用器具８０の移動が規制されている。
【００２５】
さらに、図中右下に位置する保持部２３３では、底板２３１の起立がなされておらず、また、仕切り壁２３２の一部を水平状態とする仕切り壁２３２の変形も行なわれていない。このため、この部分では、診療用器具８０の保持を行う機能が存在しない状態となっている。ここで、この部分では、起立壁２３３Ａおよび接続部２３３Ｂが存在しない状態となり、収容室１８の容量が大きくなっている。なお、この収容室１８には、後述する覆い部材（サクションチップ）が収容される。
【００２６】
なお、本実施形態では、長い診療用器具８０および短い診療用器具８０の２種類の診療用器具８０、および、覆い部材（サクションチップ）が一つの収容箱２００に収容される場合を例示したが、長い診療用器具８０のみを一つの収容箱２００に収容するようにしてもよいし、短い診療用器具８０のみを一つの収容箱２００に収容するようにしてもよい。また、覆い部材（サクションチップ）のみを収容するようにしてもよい。
【００２７】
また、例えば、長い診療用器具８０と覆い部材とを収容することもできるし、短い診療用器具８０と覆い部材とを収容することもできる。付言すると、本実施形態では、底板２３１の起立の有無、接続部２３３Ｂの形成の有無によって、収容可能な対象物を異ならせることができるようになる。
また、上記では、診療用器具８０や覆い部材を、直接、収容箱２００に収容する場合を例示したが、診療用器具８０や覆い部材は、ビニールなどの保護材で覆ったうえで収容するようにしてもよい。
【００２８】
なお、上記では、診療用器具８０として、歯科診療時に用いられる管状部材を例示した。図５を参照して、詳細に説明すると、本実施形態では、図５にて示す複数の部材のうちの符号１２０で示す管状部材を収容した場合を一例に説明した。
【００２９】
ここで、図５では、歯科診療時に用いるサクションシリンジ１００を示している。このサクションシリンジ１００は、歯科診療時に生じる、患者の口腔内の唾液、血液、切削屑など（以下、「廃液」と称することがある）を吸引する。付言すると、サクションシリンジ１００は、コンプレッサーやポンプなどの不図示の吸気源に接続されており、この吸気源にて吸気が行われることで、上記廃液の吸引を行う。
【００３０】
ここで、サクションシリンジ１００には、同図に示すように、円筒状の部材により構成され看護師などによって把持される把持部１１０が設けられる。また、サクションシリンジ１００には、上記にて説明した管状部材１２０が設けられる。この管状部材１２０は、把持部１１０の一方の端部に形成された開口に一端部１２６が挿入され、患者の口腔内に溜まった廃液を、他端部１２７に形成された開口１２８から吸い込む。
【００３１】
また、サクションシリンジ１００には、管状部材１２０の他端部１２７（先端部）に取り付けられ、この他端部１２７を覆う覆い部材（サクションチップ）１３０が設けられている。なお、把持部１１０の図中下端部には、可撓性を有した管状部材５００が取り付けられており、患者の口腔内から吸引された廃液は、この管状部材５００を通って、廃液収容部（不図示）へと移送される。
【００３２】
図６は、箱本体部２１０の底部２１２と前側壁２１１とが交わる個所を拡大して示した図である。
本実施形態では、上記のとおり、また、図６に示すように、箱本体部２１０の底部２１２と前側壁２１１とが交わる箇所に、中央部突出片２２５Ａ（図２参照）が挿入される中央スリットＳＬＣが形成されている。ここで、本実施形態では、中央部突出片２２５Ａが固定用片として機能しており、中央部突出片２２５Ａが中央スリットＳＬＣに挿入されることで、箱本体部２１０に対する蓋部材２２０（図２参照）の固定が行われる。
【００３３】
さらに、本実施形態では、図６に示すように、箱本体部２１０の底部２１２に、中央スリットＳＬＣに接続された半円状の貫通孔ＨＬが形成されている。これにより、本実施形態では、ユーザは、中央部突出片２２５Ａの一方の側面に触れることができるようになり、蓋部材２２０を開く際に必要となる、中央スリットＳＬＣからの中央部突出片２２５Ａの引き抜きを行いやすくなる。
【００３４】
図７は、図３の矢印ＶＩＩ方向から保持体２３０を眺めた場合の斜視図である。
本実施形態の保持体２３０には、保持体２３０の一方の側壁２３５Ａに接続された第１接続片２３６Ａと、保持体２３０の他方の側壁２３５Ｂに接続された第２接続片２３６Ｂとが設けられている。そして、本実施形態では、第１接続片２３６Ａの自由側の端部と、第２接続片２３６Ｂの自由端側の端部とが接続されている。
【００３５】
これにより、本実施形態では、第１接続片２３６Ａおよび第２接続片２３６Ｂが設けられている側（以下、「接続片設置側」と称することがある）における保持体２３０の幅の方が、接続片設置側とは反対側（以下、「非設置側」と称することがある）における保持体２３０の幅よりも小さくなる。付言すると、図７にて符号７Ａで示す寸法の方が、符号７Ｂで示す寸法よりも小さくなる。これにより、本実施形態では、蓋部材２２０を閉じやすくなっている。
【００３６】
ここで、本実施形態では、上記のとおり、蓋部材２２０が閉じられる際、蓋部材２２０に設けられた第１突出片２２４（図２参照）が、保持体２３０と箱本体部２１０の内壁との間の隙間Ｇ（図２参照）に挿入されるが、この際、この挿入は、第１接続片２３６Ａおよび第２接続片２３６Ｂが設けられている側（接続片設置側）から開始される。この際、本実施形態のように、接続片設置側における保持体２３０の幅が小さくなっていると、第１突出片２２４の挿入が開始される部分における隙間Ｇが大きくなる。そしてこの場合、隙間Ｇへ第１突出片２２４が入りやすくなり、蓋部材２２０を閉じやすくなる。
【００３７】
付言すると、本実施形態では、隙間Ｇへの第１突出片２２４の挿入が行われる際、箱本体部２１０の内壁と保持体２３０の外周面との間のうち、符号２Ａ（図２参照）で示す挿入開始箇所（以下、「挿入開始箇所２Ａ」と称する）にて、第１突出片２２４の挿入が開始される。そして、第１突出片２２４の挿入が済んだ挿入箇所が、挿入開始箇所２Ａ以外の他の箇所へ（図中左下方向へ）次第に拡がるようになる。
【００３８】
ここで、本実施形態では、上記のとおり、接続片設置側における保持体２３０の幅の方が、非設置側における保持体２３０の幅よりも小さくなっている。付言すると、本実施形態では、第１接続片２３６Ａおよび第２接続片２３６Ｂ（付勢手段の一例）が設けられることによって、保持体２３０のうちの挿入開始箇所２Ａに位置する部位（図２にて、符号２Ｃで示す部位）が、箱本体部２１０の内壁から離れる方向（図２にて、矢印２Ｂで示す方向）に向けて付勢された状態となっている。これにより、本実施形態では、挿入開始箇所２Ａにおいて、隙間Ｇが拡がるようになり、隙間Ｇへ第１突出片２２４が入りやすくなる。
【００３９】
図８は、第１接続片２３６Ａと第２接続片２３６Ｂとの接続を解いた状態の保持体２３０を示した図である。
図８を参照し、保持体２３０の構造についてさらに説明すると、本実施形態では、底板２３１よりもさらに下方に、この底板２３１に沿って配置された下側板２３７が設けられている。さらに、底板２３１と下側板２３７とを接続する接続片２３８が設けられている。なお、接続片２３８は、底板２３１の幅方向（図８にて符号８Ａで示す方向）における中央部と、下側板２３７の幅方向における中央部とを接続している。
【００４０】
図９は、保持体２３０の展開図である。
ここで、下側板２３７の構成について説明すると、下側板２３７には、矩形状の基材２３７Ａが設けられている。さらに、下側板２３７の側辺のうち、底板２３１が設けられている側とは反対側に位置する側辺（以下、反対側側辺と称する）には、台形状の切り欠き２３７Ｂが形成されている。ここで、この切り欠き２３７Ｂは、底板２３１が設けられている側に向かうに従い幅が次第に小さくなるように形成されている。
【００４１】
さらに、下側板２３７の反対側側辺には、第１突出片２３７Ｃおよび第２突出片２３７Ｄが設けられている。また、第１突出片２３７Ｃおよび第２突出片２３７Ｄの根元には、第１突出片２３７Ｃおよび第２突出片２３７Ｄの突出方向と直交する方向に延びるスリットＳＬＢが形成されている。
【００４２】
また、底板２３１にも突出片が設けられている。具体的には、底板２３１の図中下端辺から突出する第１突出片２３９Ａ〜第３突出片２３９Ｃが設けられている。ここで、第２突出片２３９Ｂは、底板２３１の幅方向における中央部に位置し、第１突出片２３９Ａは、第２突出片２３９Ｂよりも図中左側に位置し、第３突出片２３９Ｃは、第２突出片２３９Ｂよりも図中右側に位置している。さらに、第１突出片２３９Ａおよび第３突出片２３９Ｃの各々には、これらの突出片からさらに突出し略台形状に形成された台形片２３９Ｄが設けられている。
【００４３】
ここで、保持体２３０は、上記のとおり、一枚の紙材が折り畳まれることにより形成される。保持体２３０の形成方法の一例を説明すると、まず、仕切り壁２３２（図２参照）を形成するための折り処理を底板２３１に対して行う。また、底板２３１の下方に下側板２３７が配置されるように紙材を折り畳む。具体的には、接続片２３８と底板２３１との境界、および、接続片２３８と下側板２３７との境界において折り処理を行う。次いで、第１突出片２３９Ａ〜第３突出片２３９Ｃの根元、第１突出片２３７Ｃの根元、第２突出片２３７Ｄの根元にて折り処理を行う。さらに、台形片２３９Ｄを、下側板２３７に形成されたスリットＳＬＢに挿入する。
【００４４】
具体的には、図中左方に位置する一方の台形片２３９Ｄを、第１突出片２３７Ｃの根元に形成されたスリットＳＬＢに挿入し、図中右方に位置する他方の台形片２３９Ｄを、第２突出片２３７Ｄの根元に形成されたスリットＳＬＢに挿入する。これにより、底板２３１と下側板２３７とが固定される。次いで、第１接続片２３６Ａと第２接続片２３６Ｂとを接続する。これにより、保持体２３０が完成する。
【００４５】
ここで、本実施形態では、このように、図中左方に位置する一方の台形片２３９Ｄを、第１突出片２３７Ｃの根元に形成されたスリットＳＬＢに挿入し、図中右方に位置する他方の台形片２３９Ｄを、第２突出片２３７Ｄの根元に形成されたスリットＳＬＢに挿入する。これにより、本実施形態では、上方に向かって凸となるように底板２３１が膨らむ（変形）することが抑制される。
【００４６】
本実施形態の保持体２３０では、折り処理によって仕切り壁２３２を形成しているが、この折り処理に起因して、底板２３１の幅方向における中央部が上方に変位し、上方に向かって凸となるように底板２３１は変形する。ここで、本実施形態のように、台形片２３９ＤがスリットＳＬＢに挿入され、底板２３１に対して下側板２３７が固定されていると、底板２３１の変形が抑制されるようになり、上方に向かって凸となる底板２３１の変形が抑制される。
【００４７】
図１０は、図３の矢印Ｘ方向から保持体２３０を眺めた場合の図である。
上記では、説明を省略したが、本実施形態では、第１突出片２３９Ａ〜第３突出片２３９Ｃの長さが異なっている。具体的には、第１突出片２３９Ａの長さと第３突出片２３９Ｃの長さは同じとなっているが、第２突出片２３９Ｂの長さは、第１突出片２３９Ａの長さ、第３突出片２３９Ｃの長さよりも小さくなっている。
【００４８】
ここで、本実施形態では、蓋部材２２０が閉じられる際、第２突出片２３９Ｂの図中下方（図１０の符号１０Ａで示す部分）を、蓋部材２２０に設けられた中央部突出片２２５Ａ（図２参照）が通過する。
具体的に説明すると、本実施形態では、蓋部材２２０が閉じられる際、蓋部材２２０に設けられた中央部突出片２２５Ａが、箱本体部２１０に設けられた中央スリットＳＬＣ（図２参照）に挿入されるが、この挿入時に、第２突出片２３９Ｂの下方を、中央部突出片２２５Ａが通過する。この際、第２突出片２３９Ｂが、上記のように短く形成されていると、短く形成されていない場合に比べ、中央部突出片２２５Ａと第２突出片２３９Ｂとの干渉が起こりにくくなる。
【００４９】
図１１は、図１０における矢印ＸＩ方向から保持体２３０を眺めた場合の図である。
上記にて説明したとおり、また、図１１に示すように、保持体２３０の下側板２３７には、台形状の切り欠き２３７Ｂが形成されている。ここで、本実施形態では、蓋部材２２０が閉じられる際、上記中央スリットＳＬＣを通過した中央部突出片２２５Ａがこの切り欠き２３７Ｂ内に入り込む。
【００５０】
ここで、この切り欠き２３７Ｂが設けられていない場合、下側板２３７と中央部突出片２２５Ａとが干渉が起こりやすくなり、箱本体部２１０の内部へ中央部突出片２２５Ａが入りにくくなる。本実施形態のように、切り欠き２３７Ｂが設けられていると、下側板２３７と中央部突出片２２５Ａとの干渉が生じにくくなり、箱本体部２１０の内部へ中央部突出片２２５Ａが入りやすくなる。
【００５１】
さらに説明すると、本実施形態では、このように、中央部突出片２２５Ａが挿入される中央スリットＳＬＣが形成されているが、貫通部の一例としてのこの中央スリットＳＬＣは、箱本体部２１０の内部と外部との間に位置する壁部（紙材）を貫通した状態で形成されている。そして、本実施形態では、箱本体部２１０の外部側から中央スリットＳＬＣに対して中央部突出片２２５Ａが挿入され、さらに、中央部突出片２２５Ａの一部（先端部）が保持体２３０に達するようになる。
【００５２】
そして、本実施形態では、保持体２３０のうちの中央部突出片２２５Ａが達する箇所に、凹部の一例としての切り欠き２３７Ｂが形成されており、この切り欠き２３７Ｂ内に中央部突出片２２５Ａが収容される。これにより、中央部突出片２２５Ａと保持体２３０との干渉が避けられるようになり、箱本体部２１０の内部へ中央部突出片２２５Ａが入りやすくなる。
【００５３】
なお、本実施形態では、歯科診療に用いられる診療用器具８０を収容した場合を一例に説明したが、他の診療科にて用いられる器具を収容するようにしてもよい。また、上記では、一枚の紙材から、収容箱２００および保持体２３０の各々を形成したが、複数の部品を接着等で固定することで、収容箱２００や保持体２３０を形成してもよい。また、本実施形態では、紙材を用いて収容箱２００および保持体２３０の各々を形成したが、収容箱２００および保持体２３０の形成に用いられる素材は紙材に限られず、例えば、変形可能（折曲げ可能）な薄板状の樹脂を用いることができる。さらに、上記では、各収容室１８の左側に保持部２３３が設けられた構成を説明したが、保持部２３３の位置は特に限定されず、例えば、各収容室１８の右側に保持部２３３を設けるようにしてもよい。
【符号の説明】
【００５４】
１８…収容室、８０…診療用器具、２００…収容箱、２１０…箱本体部、２２０…蓋部材、２２４…第１突出片、２２５Ａ…中央部突出片、２３０…保持体、２３３…保持部、２３６Ａ…第１接続片、２３６Ｂ…第２接続片、２３７Ｂ…切り欠き、ＳＬＣ…中央スリット
【図１】
2014226225.tif 000003
【図２】
2014226225.tif 000004
【図３】
2014226225.tif 000005
【図４】
2014226225.tif 000006
【図５】
2014226225.tif 000007
【図６】
2014226225.tif 000008
【図７】
2014226225.tif 000009
【図８】
2014226225.tif 000010
【図９】
2014226225.tif 000011
【図１０】
2014226225.tif 000012
【図１１】
2014226225.tif 000013